(57)【要約】      （修正有）【課題】窓と平行に吹く風であっても、その風を受け止めて自然に室内に取り入れることのできる風の室内取り入れ器を提供する。【解決手段】三角形、あるいは半円形の板体からなる上部材１及び下部材２を、窓の上枠、下枠にそれぞれ設け、これらの部材１、２の間に、１または複数本の支柱フレーム３で、上部材１と、下部材２とを連結して設けると共に、三角形あるいは半円形の板体の一辺１ａ、１ｂを、窓の上・下枠に固定手段４で固定し、これら上部材１と下部材２との間に、三角形あるいは半円形の板体の一辺１ａ，１ｂと相対向する頂部２ｃ付近に、横風の取入板５を回動可能に枢支して設ける。【選択図】図１
0003166334.tif 000002
【実用新案登録請求の範囲】
【請求項１】
三角形、あるいは半円形の板体からなる上部材（１）及び下部材（２）を、窓（Ｘ）の上枠、下枠にそれぞれ設け、これらの部材（１）（２）の間に、１または複数本の支柱フレーム（３）で、上部材（１）と、下部材（２）とを連結して設けると共に、前記三角形の板体の一辺（１ａ）（１ｂ）を、窓（Ｘ）の上・下枠に固定手段（４）で固定し、これら上部材（１）と下部材（２）との間に、前記三角形の板体の一辺（１ａ，１ｂ）と相対向する頂部（２ｃ）付近に、横風の取入板（５）を回動可能に枢支して設けたことを特徴とする風の室内取り入れ器。
【請求項２】
三角形、あるいは半円形の板体からなる上部材（１）及び下部材（２）を、窓（Ｘ）の上枠、下枠にそれぞれ設け、これらの部材（１）（２）の間に、１本の支柱フレーム（３）で、上部材（１）と、下部材（２）とを連結すると共に、回動可能に設け、前記三角形の板体の一辺（１ａ）（１ｂ）を、窓（Ｘ）の上・下枠に固定手段（４）で固定し、これら前記支柱フレーム（３）に、横風の取入板を取り付けたことを特徴とする風の室内取り入れ器。
【請求項３】
支柱フレーム（３）がそれぞれ、伸縮自在に形成されることを特徴とする請求項１または２記載の風の室内取り入れ器。
【考案の詳細な説明】
【技術分野】
【０００１】
この考案は、風の室内取り入れ器に関するものである。
【背景技術】
【０００２】
従来、夏期や蒸し暑い時に、外部の風を室内に取り入れたい場合、窓や入口の扉を少し開け、網戸越しに外気を取り入れているが、側面から吹く風を室内に取り入れることは難かしかった。
【０００３】
また、電力を用いて、ファンを回し、強制的に取り入れることが考えられるが、自然の涼風とは言えず、また、電力を使用するため、少なからず、モータの回転音とかしてエコとは程遠いものである。
【考案の概要】
【考案が解決しようとする課題】
【０００４】
そこでこの考案は、窓と平行に吹く風であっても、その風を受け止めて自然に室内に取り入れることのできる風の室内取り入れ器を提供するものである。
【課題を解決するための手段】
【０００５】
この考案である課題を解決するための手段は、上部材と、下部材とを、１または複数本の支柱フレームで連結して設け、これら上部材と下部材を、それぞれ窓の上・下枠に装着し、この上・下部材との間に、取入板を回動可能に枢支し、窓と平行に吹く風を取入板で阻止し、強制的に室内に取り込む風の取り入れ器である。
【考案の効果】
【０００６】
この考案によると、窓と平行，即ち，横方向から吹く風の、左方向から吹く風、右方向から吹く風を問わず、取入板で捉え、強制的に室内方向に風を取り入れることができ、室内が爽快である等の極めて有益なる効果を奏する。
【図面の簡単な説明】
【０００７】
【図１】この考案の一実施例を示す一部欠截斜視図である。
【図２】この考案の一実施例を示し、図１中Ａ−Ａ断面図である。
【図３】この考案の他の実施例を示す平面図である。
【図４】この考案のさらに他の実施例を示す斜視図である。
【図５】この考案の他の実施例を示す一部欠截正面図である。
【考案を実施するための形態】
【０００８】
この考案は、上部材と、下部材とを、一または複数本の支柱フレームで連結して設け、これら上部材と下部材との間に、回動可能に取入板を枢支したもので、取入板の端部、あるいは端部付近を枢支可能に設けた風の室内取り入れ器である。
【実施例】
【０００９】
この考案の一実施例を図１に基づいて説明すると、  三角形、あるいは半円形の板体からなる上部材（１）及び下部材（２）を、窓（Ｘ）の上枠、下枠にそれぞれ設け、これらの部材（１）（２）の間に、１または複数本の支柱フレーム（３）で、上部材（１）と、下部材（２）とを連結して設けると共に、前記三角形の板体の一辺（１ａ）（１ｂ）を、窓（Ｘ）の上・下枠に固定手段（４）で固定し、これら上部材（１）と下部材（２）との間に、前記三角形の板体の一辺（１ａ，１ｂ）と相対向する頂部（２ｃ）付近に、横風の取入板（５）を回動可能に枢支して設けたことを特徴とする風の室内取り入れ器から構成されるものである。
【００１０】
そして、横風の取入板（５）は、一定角度以上、回動しないようストッパー（６）を設けるよう構成し、かつストッパー（６）は、該取入板（５）が当接した際、騒音を避け、音を発しないようゴム等の弾性材で設けるとよい。
【００１１】
また、上部材（１）と、下部材（２）は、図面では、三角形状の板を図示したが、図３に示すように、それぞれ半円形の板体であってもよい。
【００１２】
但し、下部材（２）は、降雨時に溜まった雨滴が容易に落下するよう小孔（２ａ）を多数設けたもであってもよい。
【００１３】
さらに、上・下部材（１）（２）は、図１においては、３本の支柱フレーム（３）で連結して支えられている例を示したが、図４に示すように、支柱フレーム（３）は１本であってもよく、しかも、該支柱フレーム（３）に取入板（５）を取り付けた構造のものであってもよい。但し、この支柱フレーム（３）は、上・下部材（１）（２）に枢支されるよう構成する。
【００１４】
また、支柱フレーム（３）は、窓の高さ寸法に適合できるよう各支柱フレームが伸縮自在に設けるよう構成してもよい。その一例としては、図５に示すように、支柱フレーム（３）を大・小２本の嵌挿可能なパイプで構成するものである。
【００１５】
そして、固定手段（４）は、窓の枠に、例えば、断面がＬ字状のブラケットで係止するよう構成してもよい。
そして、取入板（５）の素材は、軽量で透明な素材がよいものである。
【産業上の利用可能性】
【００１６】
この考案によると、風の取り入れ器の技術を確立し、実施・販売することにより産業上の利用可能性がある。
【符号の説明】
【００１７】
１  上部材
２  下部材
２ａ  小孔
３  支柱フレーム
４  固定手段
５  取入板
６  ストッパー
Ｘ  窓の上・下枠
【図１】
0003166334.tif 000003
【図２】
0003166334.tif 000004
【図３】
0003166334.tif 000005
【図４】
0003166334.tif 000006
【図５】
0003166334.tif 000007
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
三角形、あるいは半円形の板体からなる上部材（１）及び下部材（２）を、窓（Ｘ）の上枠、下枠にそれぞれ設け、これらの部材（１）（２）の間に、１または複数本の支柱フレーム（３）で、上部材（１）と、下部材（２）とを連結して設けると共に、前記三角形、あるいは半円形の板体の一辺（１ａ）（１ｂ）を、窓（Ｘ）の上・下枠に固定手段（４）で固定し、これら上部材（１）と下部材（２）との間に、前記三角形、あるいは半円形の板体の一辺（１ａ，１ｂ）と相対向する頂部（２ｃ）付近に、横風の取入板（５）を回動可能に枢支して設けたことを特徴とする風の室内取り入れ器。
【請求項２】
三角形、あるいは半円形の板体からなる上部材（１）及び下部材（２）を、窓（Ｘ）の上枠、下枠にそれぞれ設け、これらの部材（１）（２）の間に、１本の支柱フレーム（３）で、上部材（１）と、下部材（２）とを、連結すると共に、該支柱フレーム（３）に横風の取入板（５）を回動可能に設け、前記三角形、あるいは半円形の板体の一辺（１ａ）（１ｂ）に、窓（Ｘ）の上・下枠に固定する固定手段（４）を設けたことを特徴とする風の室内取り入れ器。
【請求項３】
支柱フレーム（３）がそれぞれ、伸縮自在に形成されることを特徴とする請求項１または２記載の風の室内取り入れ器。